(57)【要約】【課題】建物付設物の施工性の向上を図ることができる取付部材を提供する。【解決手段】建物の梁用Ｈ形鋼３に取り付ける取付部材５は、梁用Ｈ形鋼３の側方に向って開口したコ字状部１０の内側に嵌合可能な取付本体部１１を備える。取付本体部１１には、梁用Ｈ形鋼３の側端位置より側方に延在する突部３１を設ける。突部３１には、建物付設物の構成部材である階段張出材３６を取り付ける。【選択図】        図２
2004263428.tif 000002
【特許請求の範囲】
【請求項１】
建物の梁材に取り付けられる取付部材であって、
前記梁材に取り付けられる取付本体部と、
この取付本体部に設けられ、建物付設物の構成部材が取り付けられる突部と
を備えることを特徴とする取付部材。
【請求項２】
建物の梁用Ｈ形鋼に取り付けられる取付部材であって、
前記梁用Ｈ形鋼に取り付けられ、前記梁用Ｈ形鋼の側方に向って開口したコ字状部の内側に嵌合される取付本体部と、
この取付本体部に設けられ、前記梁用Ｈ形鋼の側端位置より側方に延在し、建物付設物の構成部材が取り付けられる突部と
を備えることを特徴とする取付部材。
【請求項３】
突部は、取付本体部に固着されたボルトにて構成されている
ことを特徴とする請求項１または２記載の取付部材。
【発明の詳細な説明】
【０００１】
【発明の属する技術分野】
本発明は、建物付設物の施工性の向上を図ることができる取付部材に関する。
【０００２】
【従来の技術】
従来、鉄骨構造の建物（例えば集合住宅）に建物付設物（例えば屋外階段）を付設する場合は、建物の梁材に取付下地となる木材を取り付け、その後、この取り付けられた木材に建物付設物の構成部材をボルトおよびナット等を用いて取り付けている（例えば、非特許文献１参照。）。
【０００３】
【非特許文献１】
「住宅建材製品カタログ１９９９−２０００」、文化シャッタ株式会社、１９９９年１０月、ｐ．１９１
【０００４】
【発明が解決しようとする課題】
しかしながら、上記従来の場合、建物の梁材に取り付けられた木材に対する建物付設物の構成部材の取付作業が煩雑となりがちなため、建物付設物の施工に手間取るおそれがある。
【０００５】
本発明は、このような点に鑑みなされたもので、建物付設物の施工性の向上を図ることができる取付部材を提供することを目的とする。
【０００６】
【課題を解決するための手段】
請求項１記載の取付部材は、建物の梁材に取り付けられる取付部材であって、前記梁材に取り付けられる取付本体部と、この取付本体部に設けられ、建物付設物の構成部材が取り付けられる突部とを備えるものである。
【０００７】
そして、建物付設物の構成部材を取付部材の突部に容易に取り付けることが可能であり、建物付設物の施工性の向上が図られる。
【０００８】
請求項２記載の取付部材は、建物の梁用Ｈ形鋼に取り付けられる取付部材であって、前記梁用Ｈ形鋼に取り付けられ、前記梁用Ｈ形鋼の側方に向って開口したコ字状部の内側に嵌合される取付本体部と、この取付本体部に設けられ、前記梁用Ｈ形鋼の側端位置より側方に延在し、建物付設物の構成部材が取り付けられる突部とを備えるものである。
【０００９】
そして、取付部材の取付本体部を建物の梁用Ｈ形鋼に容易に取り付けることが可能であるとともに、建物付設物の構成部材を取付部材の突部に容易に取り付けることが可能であり、建物付設物の施工性の向上が図られる。
【００１０】
請求項３記載の取付部材は、請求項１または２記載の取付部材において、突部は、取付本体部に固着されたボルトにて構成されているものである。
【００１１】
そして、突部を取付本体部に固着されたボルトにて構成したため、建物付設物の施工性の向上がより一層適切に図られる。
【００１２】
【発明の実施の形態】
以下、本発明の一実施の形態の構成を図面を参照して説明する。
【００１３】
図１において、１は鉄骨構造の建物（例えば集合住宅等）で、この建物１には、建物付設物である屋外階段（外部階段）２が付設されている。
【００１４】
すなわち、この建物１は、図１ないし図４に示されるように、水平方向に延びる長手状の梁材としての形鋼である梁用Ｈ形鋼３を備え、この梁用Ｈ形鋼３には、屋外階段２の上端側が複数、例えば２つの中空状の取付部材（張出材取付金具）５を介して取り付けられている。
【００１５】
ここで、梁用Ｈ形鋼３は、それぞれが水平状で略矩形状をなす互いに離間対向した一対の上板部６および下板部７を有している。
【００１６】
上板部６の幅方向中央と下板部７の幅方向中央とは、略矩形状をなす垂直状の連結板部８にて連結されている。この連結板部８には、上下２つで１組をなす複数の孔９が長手方向に間隔をおいて２組形成されている。なお、連結板部８と上板部６の半部と下板部７の半部とにて、側方つまり屋外階段２側に向って開口したコ字状部１０が構成されている。
【００１７】
取付部材５は、ステンレス等の金属で形成されて上下方向に長手方向を有する略角柱状、例えば略４角柱状の取付本体部１１を備えている。
【００１８】
この取付本体部１１は、それぞれが垂直状で略矩形状をなす互いに離間対向した一対の第１対向板部１３および第２対向板部１４を有している。
【００１９】
第１対向板部１３の上端と第２対向板部１４の上端とは略正方形状の上水平板部１５にて連結され、第１対向板部１３の下端と第２対向板部１４の下端とは略正方形状の下水平板部１６にて連結されている。第１対向板部１３の上下方向に沿った幅方向一端（図４中、左端）と第２対向板部１４の上下方向に沿った幅方向一端（図４中、左端）とは、垂直状で略矩形状の連結側板部１７にて連結されている。なお、第１対向板部１３の幅方向他端と第２対向板部１４の幅方向他端とは、取付本体部１１の側面に形成された開口面１８を介して互いに離間対向している（図４参照）。
【００２０】
そして、この取付本体部１１は、ボルト２１、ナット２２およびばね座金２３にて構成された取付具２４によって梁用Ｈ形鋼３の連結板部８に取り付けられ、梁用Ｈ形鋼３のコ字状部１０の内側に嵌合され、その取付本体部１１の全体がコ字状部１０内に収容されている。
【００２１】
すなわち、取付部材５の取付本体部１１の第１対向板部１３の孔（図示せず）および梁用Ｈ形鋼３の連結板部８の孔９に挿通されたボルト２１に対してナット２２が締め付けられることにより、取付部材５の取付本体部１１の第１対向板部１３が梁用Ｈ形鋼３の連結板部８に重畳的に取り付けられ、この取付本体部１１の第２対向板部１４が梁用Ｈ形鋼３の上板部６および下板部７の両側端間に配設されている。
【００２２】
また、取付部材５は、取付本体部１１の第２対向板部１４にこの第２対向板部１４の外面から外方に突出するように一体的に設けられた突部３１を備えている。この突部３１は、取付本体部１１の第２対向板部１４の複数箇所、例えば２箇所に溶接により固着された例えばステンレス製のボルト３２の軸部３３にて構成されている。
【００２３】
そして、この突部３１は、図３および図４から明らかなように、梁用Ｈ形鋼３の側端位置より側方（屋外階段２側）に延在している。すなわち、この突部３１は、平面視で梁用Ｈ形鋼３の上板部６の長手方向に沿った側端より側方に延在（突出）している。そして、この突部３１には、その突部（ボルト３２の軸部３３）３１に対する締付具であるナット３５の締付のみによって屋外階段２の構成部材である階段張出材３６が取り付けられ、この階段張出材３６は屋外階段２の最上段部に配設されている。
【００２４】
この水平方向に延びる長手状の階段張出材３６は、２つの取付部材５間を跨ぐようにして両取付部材５に取り付けられ、この階段張出材３６の長手方向両端部に、左右のささら桁３７の上端部がボルト４１、ナット４２およびばね座金４３にて構成された取付具４４にて取り付けられている。なお、階段張出材３６は図３に示されるように梁用Ｈ形鋼３の上板部６の側端に当接し、階段張出材３６の上部が上板部６より上方に突出するように配設されている。
【００２５】
この階段張出材３６は、水平方向に長手方向を有する略矩形板状で垂直状の本体板部４６を有し、この本体板部４６の周縁からは側板部４７、上板部４８および下板部４９が水平状に突出している。各側板部４７には、複数、例えば２つの取付孔５０が形成されている。本体板部４６の長手方向両端部には、突部３１に対応した挿通孔４０が形成され、この挿通孔４０に突部３１が挿通されている。
【００２６】
また一方、ささら桁３７は、断面略コ字状の桁本体板部５１を有し、この桁本体板部５１の上端部には、複数、例えば２つの取付孔５２が階段張出材３６の側板部４７の取付孔５０に対応して形成されている。
【００２７】
そして、階段張出材３６の側板部４７の取付孔５０およびささら桁３７の桁本体板部５１の取付孔５２に挿通されたボルト４１に対してナット４２が締め付けられることにより、ささら桁３７の桁本体板部５１の上端部が階段張出材３６の側板部４７に重畳的に取り付けられている。
【００２８】
また、図１に示されるように、左右のささら桁３７には段板５５および蹴込み板５６が架設されているとともに階段手摺５７が立設されている。さらに、屋外階段２の最上段部には屋外廊下５８が連設されている。なお、建物１の梁用Ｈ形鋼３は外壁５９内に埋設されている。
【００２９】
次に、建物１に建物付設物である屋外階段２を付設する場合について説明する。
【００３０】
現場での作業者は、予め、屋外階段２を取り付けるための取付部材５の取付本体部１１を建物１の梁用Ｈ形鋼３に取付具２４を用いて取り付け、取付本体部１１を梁用Ｈ形鋼３のコ字状部１０に嵌合収容させておく。
【００３１】
そして、外壁５９が仕上げられた後に、取付部材５の梁用Ｈ形鋼３の側端位置より延在して外壁５９から突き出た突部３１に対して階段張出材３６を接近移動させることにより、取付部材５の突部３１を階段張出材３６の本体板部４６の挿通孔４０に差し込んで挿通させる。その後、突部３１に対するナット３５の締付のみにより、その突部３１に階段張出材３６を取り付ける。
【００３２】
続いて、この取り付けられた階段張出材３６にささら桁３７の上端部を取付具４４を用いて取り付け、その後、この取り付けられたささら桁３７に段板５５、蹴込み板５６および階段手摺５７等を取り付ける。こうして、建物１の梁用Ｈ形鋼３に屋外階段２を取付部材５を介して取り付けることができる。
【００３３】
そして、このように取付部材５を使用して屋外階段２を付設する場合、取付部材５の取付本体部１１を建物１の梁用Ｈ形鋼３に容易に取り付けることができるとともに、屋外階段２の最上段部の一部分を構成する階段張出材３６を取付部材５の突部３１に容易に取り付けることができ、よって、外壁５９が仕上げられた後であっても、屋外階段２の施工性の向上を図ることができ、施工時間を短縮できる。
【００３４】
特に、取付部材５の突部３１に対する階段張出材３６の取付を突部３１に対するナット３５の締付のみで行えるため、階段張出材３６を取付部材５を介して梁用Ｈ形鋼３にきわめて簡単に取り付けることができ、屋外階段２の施工性の向上を確実に図ることができる。
【００３５】
なお、上記実施の形態では、取付部材５の突部３１に建物付設物の構成部材である階段張出材３６を取り付ける場合について説明したが、例えば階段張出材３６を用いずに、取付部材５の突部３１に建物付設物の構成部材であるささら桁を直接取り付けるようにしてもよい。
【００３６】
また、例えば階段張出材３６に対するささら桁３７の取付の容易化のために、階段張出材３６の上板部４８上に載置される孔合わせ用の載置部をささら桁３７の桁本体板部５１の上端部に突設してもよい。この場合、載置部を上板部４８上に載置すると、階段張出材３６の側板部４７の取付孔５０とささら桁３７の桁本体板部５１の取付孔５２とが向き合って一致する。
【００３７】
さらに、取付部材５の突部３１は、取付本体部１１に溶接等により固着されたボルト３２にて構成されたものには限定されず、例えば取付本体部１１のボルト用孔部に対して着脱可能なボルトにて構成されたものでもよく、或いはボルト以外の単なる棒状部材等にて構成されたもの等でもよい。
【００３８】
また、取付部材５は、ボルト２１をボルト３２と同じように取付本体部１１の第１対向板部１３に溶接等により固着したもの等とすることもできる。
【００３９】
さらに、例えば取付具２４を用いることなく、取付部材５の取付本体部１１をコ字状部１０の内側への嵌合のみで梁用Ｈ形鋼３に取り付けるようにしてもよい。
【００４０】
また、建物付設物は、屋外階段２以外に、例えば屋外廊下、屋外踊場、バルコニー等でもよい。
【００４１】
さらに、建物の梁材は、梁用Ｈ形鋼以外に、山形鋼、Ｉ形鋼、Ｃ形鋼およびみぞ形鋼等、或いは、鋼材以外の梁材等でもよい。
【００４２】
【発明の効果】
請求項１の発明によれば、建物付設物の構成部材を取付部材の突部に容易に取り付けることができ、建物付設物の施工性の向上を図ることができる。
【００４３】
請求項２の発明によれば、取付部材の取付本体部を建物の梁用Ｈ形鋼に容易に取り付けることができるとともに、建物付設物の構成部材を取付部材の突部に容易に取り付けることができ、建物付設物の施工性の向上を図ることができる。
【００４４】
請求項３の発明によれば、突部を取付本体部に固着されたボルトにて構成したため、建物付設物の施工性の向上をより一層適切に図ることができる。
【図面の簡単な説明】
【図１】本発明の一実施の形態に係る取付部材が使用された建物付設物の斜視図である。
【図２】同上取付部材を示す斜視図である。
【図３】同上取付部材を示す側面視断面図である。
【図４】同上取付部材を示す平面視断面図である。
【符号の説明】
１    建物
２    建物付設物である屋外階段
３    梁材としての形鋼である梁用Ｈ形鋼
５    取付部材
１０    コ字状部
１１    取付本体部
３１    突部
３２    ボルト
３６    建物付設物の構成部材である階段張出材
【図１】
2004263428.tif 000003
【図２】
2004263428.tif 000004
【図３】
2004263428.tif 000005
【図４】
2004263428.tif 000006